(57)【要約】【課題】  胴を傷付けることなくバンドを容易に着脱可能な腕時計を提供することにある。【解決手段】  胴５に連結駒15を介してバンドを取付けた腕時計１を前提とし、固定面26と、固定ねじ29と、取付け穴27と、突起18とを具備する。固定面26を、連結駒15を出し入れ可能に受入れるかん股22を形成した胴５のかん足21の裏面部に、これらかん足21の連結駒15に対向する側面21ａに直角状に連ねて斜めに設ける。固定ねじ29を連結駒15に裏側からねじ込む。固定ねじ29は、ねじ込みの完了に伴って固定面26間にわたって配置されて固定面26に密接され、ねじ込みが緩められた際に連結駒15の幅内に配置される形状の頭部29ａを有する。取付け穴27を、固定面26の傾きに対して逆に傾けて、かん股22に臨んだ胴部分に設ける。取付け穴27に出し入れ可能に嵌合する突起18を、連結駒15のかん股22に臨んだ端面15ａに突設する。【選択図】    図２
2005188961.tif 000002
【特許請求の範囲】
【請求項１】
胴に連結駒を介してバンドが取付けられた腕時計であって、
前記連結駒を出し入れ可能に受入れるかん股を形成して前記胴に設けられたかん足の裏面部に夫々設けられ、これらかん足の前記連結駒に対向する側面にこれから折れ曲がるように連なっていて前記かん足の長手方向に傾斜する固定面と、
前記連結駒に裏側からねじ込まれ、このねじ込みの完了に伴って前記固定面間にわたって配置されてこれら固定面に密接されるとともに、前記ねじ込みが緩められた際に前記連結駒の幅内に配置される形状の頭部を有した固定ねじと、
前記かん股に臨んだ胴部分又は前記連結駒のいずれか一方に、前記固定面の傾きとは逆に傾けて設けられた取付け穴と、
前記かん股に臨んだ胴部分又は前記連結駒のいずれか他方に突設されて前記取付け穴に出し入れ可能に嵌合された突起と、
を具備した腕時計。
【請求項２】
胴に連結駒を介してバンドが取付けられた腕時計であって、
前記連結駒を出し入れ可能に受入れるかん股を形成して前記胴に設けられたかん足の裏面部に夫々設けられ、これらかん足の前記連結駒に対向する面にこれから折れ曲がるように連なっていて前記かん足の長手方向に傾斜する固定面と、
前記連結駒に裏側から着脱可能にねじ込まれ、このねじ込みの完了に伴って前記固定面間にわたって配置されてこれら固定面に密接される大きさの頭部を有した固定ねじと、
前記かん股に臨んだ胴部分又は前記連結駒のいずれか一方に、前記固定面の傾きとは逆に傾けて設けられた取付け穴と、
前記かん股に臨んだ胴部分又は前記連結駒のいずれか他方に突設されて前記取付け穴に出し入れ可能に嵌合された突起と、
を具備した腕時計。
【請求項３】
前記かん足の裏面部に前記かん股及び裏面に夫々開放する切欠きが形成され、この切欠きの奥面によって前記固定面が形成されており、前記切欠きが前記頭部の厚みより深く形成されている請求項１又は２に記載の腕時計。
【請求項４】
前記取付け穴とこれに挿入された前記突起との間に環状のパッキンが配置されている請求項１から３の内のいずれか１項に記載の腕時計。
【発明の詳細な説明】
【技術分野】
【０００１】
本発明は、胴にバンドが着脱可能に取付けられた腕時計に関する。
【背景技術】
【０００２】
腕時計において、バンドの端部は、胴の６時側及び１２時側に二股状に設けられたかん足に連結駒を用いて連結されている。この連結のために、ハンドの端部に取付けられた先端駒（連結駒）は、その短手方向（幅方向）に延びる貫通孔を有し、かつ、相互間に先端駒を受入れるかん股を形成した１対のかん足は、夫々に取付け穴を有している。そして、軸方向両側にばねで突出方向に付勢された端部軸を有して伸縮可能に形成されたばね棒を、先端駒の貫通孔に通すとともに、このばね棒の端部軸をかん足の取付け穴に夫々挿入させることによって、バンドを胴に連結した腕時計が知られている（例えば特許文献１参照。）。
【特許文献１】特開２０００−３３００４号公報（段落００１８−００２２、図１−図４）
【発明の開示】
【発明が解決しようとする課題】
【０００３】
従来において、胴に連結されたバンドを取外すには、かん足と連結駒に設けられている凹部との間の隙間に専用の工具を入れて、かん足の取付け穴に挿入されているばね棒の端部軸を、強いばね力に抗して移動させて、かん足の取付け穴から外さなければならないので、使用者には不便である。この逆に、腕時計を組立てる場合、及び使用者がバンドを胴に取付ける場合にも、前記専用工具を用いてばね棒を取扱わなければならないので、不便である。しかも、既述のようにばね棒の軸端部は突出方向に付勢されている。このため、使用者によるバンドの取付けの際に、ばね棒の軸端部の先端が胴のかん足を擦ることがあると、胴に傷が付いてしまう恐れもある。
【０００４】
本発明が解決しようとする課題は、胴を傷付けることなくバンドを容易に着脱することが可能な腕時計を提供することにある。
【課題を解決するための手段】
【０００５】
胴に連結駒を介してバンドを取付けた腕時計において、前記課題を解決するための第１の手段として、本発明は、連結駒を出し入れ可能に受入れるかん股を形成した胴のかん足の裏面部に、これらかん足の連結駒に対向する面に折れ曲がるように連なる固定面をかん足の長手方向に傾斜させて設け、固定ねじを連結駒に裏側からねじ込むとともに、この固定ねじの頭部を、ねじ込みの完了に伴って固定面間にわたって配置されて固定面に密接され、ねじ込みが緩められた際に連結駒の幅内に配置される形状とし、かん股に臨んだ胴部分又は連結駒のいずれか一方に、固定面の傾きとは逆に傾く取付け穴を設け、この取付け穴に出し入れ可能に嵌合される突起をかん股に臨んだ胴部分又は連結駒のいずれか他方に突設している。
【０００６】
この発明では、胴又は連結駒のいずれか一方の取付け穴と他方の突起とを嵌合させつつ、バンドに接続されている連結駒を胴のかん股に嵌め込んだ後、連結駒にその裏側から既にねじ込まれている固定ねじを締め付けて、この固定ねじの頭部をかん足裏面の固定面に密接させることにより、胴に連結駒を取付けることができる。この逆に、固定ねじの締め付けを緩めて、この固定ねじの頭部が固定面から外れて連結駒の幅内に配置された状態とした後、取付け穴と突起との嵌合を外しつつ連結駒をかん股から抜き出すことにより、バンドに接続されている連結駒を胴から外すことができる。このように本発明では、専用工具を用いて伸縮操作されるばね棒を用いることなく、バンドを胴に着脱できる。
【０００７】
又、胴に連結駒を介してバンドを取付けた腕時計において、前記課題を解決するための第２の手段として本発明は、連結駒を出し入れ可能に受入れるかん股を形成した胴のかん足の裏面部に、これらかん足の連結駒に対向する面に折れ曲がるように連なる固定面をかん足の長手方向に傾斜させて設け、ねじ込み完了に伴って固定面間にわたって配置されて固定面に密接する大きさの頭部を有した固定ねじを、連結駒に裏側から着脱自在にねじ込むとともに、かん股に臨んだ胴部分又は連結駒のいずれか一方に、固定面の傾きとは逆に傾く取付け穴を設け、この取付け穴に出し入れ可能に嵌合される突起をかん股に臨んだ胴部分又は連結駒のいずれか他方に突設している。
【０００８】
この発明では、胴又は連結駒のいずれか一方の取付け穴と他方の突起とを嵌合させつつ、バンドに接続されている連結駒を胴のかん股に嵌め込んだ後、連結駒にその裏側から固定ねじをねじ込むとともに締め付けて、この固定ねじの頭部をかん足裏面の固定面に密接させることにより、胴に連結駒を取付けることができる。この逆に、固定ねじを緩めて連結駒から取外した後、取付け穴と突起との嵌合を外しつつ連結駒をかん股から抜き出すことにより、バンドに接続されている連結駒を胴から外すことができる。このように本発明では、専用工具を用いて伸縮操作されるばね棒を用いることなく、バンドを胴に着脱できる。
【０００９】
又、本発明の好ましい形態では、前記かん足の裏面部に前記かん股及び裏面に夫々開放する切欠きが形成され、この切欠きの奥面によって前記固定面が形成されており、前記切欠きが前記頭部の厚みより深く形成されているので、時計の装着感を損なわないように固定ねじの頭部が使用者の腕に当たることを防止できる点で好ましい。
【００１０】
又、本発明の好ましい形態では、前記取付け穴とこれに挿入された前記突起との間に環状のパッキンが配置されているので、胴にバンドが取付けられた状態で、連結駒のがたつきを抑制できる点で好ましい。
【発明の効果】
【００１１】
本発明によれば、専用工具を用いて伸縮操作されるばね棒を用いることなく、バンドを胴に着脱できるので、使用者においても胴を傷付けることなく容易にバンドを着脱することが可能な腕時計を提供できる。
【発明を実施するための最良の形態】
【００１２】
図１〜図４を参照して本発明の一実施形態を説明する。
【００１３】
図１に示す腕時計１は、時計外装組立２にバンド３を取付けている。時計外装組立２は、胴５の正面に文字板を視認させるカバーガラス６を装着するとともに、図２（Ｂ）及び図３（Ｂ）に示す裏蓋７を胴５の裏面にねじ込んだ構成を備えている。この時計外装組立２内には、文字板及び図示しない時計ムーブメント等が収容されている。
【００１４】
図１に示すようにバンド３は文字板の６時及び１２時側に対応して時計外装組立２の胴５に着脱可能に取付けられている。このバンド３は、例えば凹部１１ａと凸部１１ｂとを有した複数のバンド駒１１を備えている。互いに隣接したバンド駒１１は、互いの凹部１１ａと凸部１１ｂとを嵌合させて組合わされ、各嵌合部はバンド３の幅方向に貫通して取付けた棒状の駒連結部材１２により、この駒連結部材１２を中心に回動可能に連結されている。なお、バンド３は以上のように複数のバンド駒１１を連結してなるものではなく、合成樹脂又は皮革等によりベルト状に形成されたものであってもよい。
【００１５】
時計外装組立２側に位置するバンド３の両端部の夫々には連結駒１５が取付けられている。すなわち、連結駒１５は、例えば金属製であって、図１に示すように平面視長方形をなしている。この連結駒１５の長手方向一端部は、バンド３の端に配置されたバンド駒１１の凹部１１ａ内に嵌合されていて、この嵌合部に棒状の駒連結部材１３をバンド３の幅方向に貫通して取付けることによって、バンド３の端に配置された前記バンド駒１１に連結されている。駒連結部材１３は前記駒連結部材１２と同じものであり、この駒連結部材１３を中心に連結駒１５とこれに連結されたバンド駒１１とは回動可能である。なお、図２（Ａ）（Ｂ）及び図３（Ａ）（Ｂ）中符号１６は駒連結部材１３が通る貫通孔を示している。
【００１６】
図２（Ａ）及び図３（Ａ）に示すように連結駒１５の端面１５ａとこれに連なる斜状の裏面１５ｂとは鈍角αをなしている。連結駒１５の端面１５ａは後述の対向面として機能する。この端面１５ａにおいて連結駒１５が最大に厚くなっており、この厚み寸法は、端面１５ａに相対する他の対向面として機能する後述の胴外面５ａ部分の厚みより小さい。連結駒１５にはその裏面１５ｂから固定ねじ穴１７が開けられている。固定ねじ穴１７は裏面１５ｂの法線方向に延びている。
【００１７】
時計外装組立２の胴５は、例えば金属製であり、この胴５には文字板の６時及び１２時側に対応して１対のかん足２１が夫々一体に突設されている。１対のかん足２１は相互間に隙間からなるかん股２２を形成して設けられている。すなわち、連結駒１５を出し入れ可能に受入れるかん股２２は、１対のかん足２１の互いに平行な側面２１ａと、１対のかん足２１間に設けられて前記側面２１ａに連続する胴外面５ａとで区画されている。側面２１ａはかん股２２に受入れられた連結駒１５の側面に対向する面である。かん股２２に臨んだ胴外面５ａは、かん股２２に受入れられた連結駒１５の端面１５ａに対向する面であって、例えば図２（Ａ）及び図３（Ａ）に示すように鉛直若しくは鉛直に近い角度で傾斜された平坦面となっている。
【００１８】
各かん足２１の裏面２１ｂは、かん足２１の根元から先端に向かうに従い次第に下がる斜状をなしている。この裏面２１ｂには、前記側面２１ａに直角状に折れ曲がるように連なる平坦な固定面２６が設けられている。すなわち、本実施形態では好ましい例として、図２（Ａ）（Ｂ）及び図３（Ａ）（Ｂ）に示すようにかん足２１の裏面２１ｂに、かん股２２及び裏面２１ｂに夫々開放する切欠き２６ａが、かん足２１の長手方向に延びて形成されており、この切欠き２６ａの奥面によって固定面２６が形成されている。固定面２６は、かん足２１の長手方向に延びているとともに、かん足２１の先端側に行くほど下がるように傾斜されていて、例えば連結駒１５の裏面１５ｂと略平行に設けられている。
【００１９】
胴５には、かん股２２に臨んだ胴外面５ａに開口する底付きの丸孔からなる取付け穴２７が設けられている。取付け穴２７は、かん足２１の裏面２１ｂの傾き、より正確には固定面２６の傾きとは逆に傾けられていて、その開口から底（奥）に向かうに従い裏蓋７に近付けられている。このため、図２（Ａ）及び図３（Ａ）に示すように取付け穴２７の軸線の延長線Ａと固定面２６の延長線Ｂとが時計外装組立２内で交差する関係を作って、固定面２６と取付け穴２７とが設けられている。この交差関係において、胴外面５ａが略鉛直面である本実施形態では、胴外面５ａに対する法線方向に沿って取付け穴２７を設けること、言いかえれば、カバーガラス６又は裏蓋７と略平行に取付け穴２７を設けることは除外されている。これにより、胴外面５ａと取付け穴２７の軸線の延長線Ａとがなす角度βは鋭角をなしていて、取付け穴２７は胴外面５ａに斜めに開口されている。角度βは、例えば（６０±２０）°に設定するとよい。更に、前記角度βをなした鋭角な胴部分５ｂに必要な肉厚を確保して機械的強度を保証するとともに、取付け穴２７への後述の突起１８の挿入し易さを考慮して、角度βは（６０±５）°とすることが好ましい。
【００２０】
取付け穴２７には円筒状をなしたパッキン２８が収容され、このパッキン２８は取付け穴２７の内周面に接着止めされている。パッキン２８はゴム等の弾性変形が可能な材料で作られている。
【００２１】
連結駒１５の端面１５ａには、連結駒１５の厚み方向中央部に位置して、取付け穴２７に出し入れ可能に嵌合される突起１８が斜め下向きに突設されている。突起１８は取付け穴２７の穴形状に対応して円柱状をなしている。この突起１８はパッキン２８を弾性変形させて、この内側に密に挿入される。なお、突起１８及び取付け穴２７は対応した形状であればよく、円柱や丸穴に制約されず、板状その他の形状及びこれと同形又は相似形状の穴で形成することもできる。
【００２２】
突起１８を取付け穴２７に挿入してかん足２１間のかん股２２に収容された連結駒１５は、この連結駒１５に裏側から固定ねじ穴１７にねじ込まれた固定ねじ２９によって胴５に取外し可能に連結されている。固定ねじ２９が有する頭部２９ａは、図２（Ａ）（Ｂ）に示すようにねじ込みの完了に伴って１対のかん足２１の固定面２６間にわたって配置されてこれら固定面２６に密接されるとともに、前記ねじ込みが緩められた際に図３（Ａ）（Ｂ）に示すように連結駒１５の幅内に配置される形状、たとえば楕円形をなしている。
【００２３】
この頭部２９ａの厚みは切欠き２６ａの深さより小さい。これにより、固定ねじ２９の頭部２９ａがかん足２１の裏面２１ｂより上側に配置されるので、腕時計１を使用者の腕に取付けた場合に、頭部２９ａが腕に接して使用感を損なうことを防止できる。なお、かん足２１の裏面２１ｂが裏蓋７に対して充分上側に位置する構成である場合には、かん足２１の裏面２１ｂ自体を固定面として用いることができるとともに、この面と裏蓋７との高さ位置の範囲内に固定ねじ２９の頭部２９ａを配置できるので、この頭部２９ａが使用感を損なうことを防止できる。
【００２４】
頭部２９ａは−（マイナス）形状又は＋（プラス）形状の操作溝３０を有している。操作溝３０は、一般的なねじ回しの先端を受入れることができるものであり、特に、本実施形態では硬貨の周部を受入れることができる−（マイナス）形状としてある。なお、頭部２９ａは、長軸と短軸とを有する菱形や長方形状など他の形状であってもよい。
【００２５】
次に、バンド３の端部に取付けられた連結駒１５を時計外装組立２に連結する手順を説明する。
【００２６】
連結駒１５にはその裏側から固定ねじ２９が既にねじ込まれていて、この固定ねじ２９の頭部２９ａは、その長軸を連結駒１５の長手方向に沿わせると共に短軸を連結駒１５の幅方向に沿わせることによって、連結駒１５の幅方向両端からはみ出ないように連結駒１５の幅内に配置されている。
【００２７】
この状態の連結駒１５の突起１８を胴５の取付け穴２７に斜め上方から挿入しつつ、この連結駒１５を、斜め下方に移動させて、相対向しているかん足２１間のかん股２２に嵌め込む。この場合、固定ねじ２９の頭部２９ａは邪魔にならない。こうしたかん股２２への連結駒１５の嵌め込み深さは、突起１８が取付け穴２７に充分に挿入されて、連結駒１５の端面１５ａと胴外面５ａとが接触若しくは至近距離で対向することによって規制される。したがって、端面１５ａと胴外面５ａとは対向面として機能する。前記規制により連結駒１５は、その斜状の裏面１５ｂが同じく斜状の固定面２６より僅かに上側に配置された状態で、幅方向両側からかん足２１で挟まれるように位置決めされる。この状態を図３（Ａ）（Ｂ）に示す。
【００２８】
次に、連結駒１５の裏側にねじ込まれている固定ねじ２９を締め付け方向に回転操作する。この回転操作は、頭部２９ａの操作溝３０に例えば硬貨の縁を挿入し、この硬貨を用いて実施でき、或いは、一般的なねじ回しを用いて実施できる。すなわち、専用工具を用いることなく実施できる。
【００２９】
この締め付け方向の回転操作で固定ねじ２９が最終的にねじ込まれると、その段階で頭部２９ａの長軸が連結駒１５の幅方向と一致して、この頭部２９ａの長手方向両端部が夫々連結駒１５よりはみ出る。このはみ出しにより、頭部２９ａが切欠き２６ａの底面をなしている固定面２６にわたって配置されるとともに、これら固定面２６に夫々密接して、連結駒１５が胴５に固定される。この固定状態を図２（Ａ）（Ｂ）に示す。
【００３０】
以上の手順で胴５に固定された連結駒１５には、バンド３等を介して様々な方向から外力が作用するが、それによって連結駒１５が胴５から外れることはない。
【００３１】
すなわち、図４（Ａ）に示すようにカバーガラス６及び裏蓋７と略平行な引張り力Ｆが連結駒１５に作用した場合、この引張り力Ｆは、突起１８と取付け穴２７との嵌合部に力Ｆ１として作用するとともに、固定ねじ２９の頭部２９ａと固定面２６での密接部に力Ｆ２として作用する。力Ｆ１は、突起１８の軸方向に沿って図４（Ａ）中左斜め上方に向かう分力Ｆ１ａと、この分力Ｆ１ａに直角で図４（Ａ）中左斜め下方に向かう分力Ｆ１ｂとに分解でき、力Ｆ２は、固定ねじ２９の軸方向に沿って図４（Ａ）中略真上に向かう分力Ｆ２ａと、図４（Ａ）中左斜め下方つまり固定面２６に沿ってかん足２１の先端に向かう分力Ｆ２ｂとに分解できる。
【００３２】
取付け穴２７から突起１８が抜けるように作用する分力Ｆ１ａに対して、分力Ｆ１ｂ及びＦ２ｂが対抗する。これとともに、連結駒１５の図４（Ａ）中左斜め上方向への移動は、固定面２６と固定ねじ２９の頭部２９ａとの引っ掛りによって防止される。そして、分力Ｆ２ｂによる固定面２６との摩擦力、及び胴外面５ａと取付け穴２７とが作る鋭角な胴部分５ｂへの突起１８の引っ掛りは、力Ｆ１、Ｆ２に対抗する。このため、引張り力Ｆによって連結駒１５が引張り方向に移動することを防止できる。なお、分力Ｆ２ａにより連結駒１５が図４（Ａ）中反時計回りに回転しようとすることは、取付け穴２７に突起１８が嵌合されていることに加えて、突起１８の根元より下方に位置する連結駒１５の端面１５ａ下部が胴外面５ａに当接することに伴って防止される。したがって、引張り力Ｆによって、取付け穴２７から突起１８が抜けて、連結駒１５が胴５から外れることはない。
【００３３】
なお、取付け穴２７及び突起１８が、カバーガラス６又は裏蓋７と略平行に設けられたり、或いは固定面２６と平行に設けられる場合には、主として分力Ｆ２ｂによる固定面２６との摩擦力で引張り力Ｆに対抗するので、連結駒１５が引張り方向に引きずられるに伴い、取付け穴２７から突起１８が抜けて、連結駒１５が外れる恐れがある。
【００３４】
又、図４（Ｂ）に示すように連結駒１５に押し下げ力（換言すれば、連結駒１５に対する引下げ力）Ｆが作用した場合、この押し下げ力Ｆに対して、固定ねじ２９は何の抗力も発揮することはなく、突起１８と取付け穴２７との嵌合部に力Ｆ３（Ｆ３＝押し下げ力Ｆ）が作用する。この力Ｆ３は、突起１８の軸方向に沿って図４（Ｂ）中右斜め下方に向かう分力Ｆ３ａと、この分力Ｆ３ａに直角で図４（Ｂ）中左斜め下方に向かう分力Ｆ３ｂとに分解できる。
【００３５】
分力Ｆ３ａは取付け穴２７に突起１８を挿入するように作用するので、この分力Ｆ３ａによって突起１８が取付け穴２７から抜けることはない。分力Ｆ３ｂは、図４（Ｂ）中反時計回りに連結駒１５を回転させようとする。しかし、取付け穴２７に突起１８が嵌合されていることに加えて、連結駒１５の端面１５ａ下部が胴外面５ａに当接することに伴って防止される。したがって、押し下げ力（引下げ力）Ｆによって、取付け穴２７から突起１８が抜けて、連結駒１５が胴５から外れることはない。
【００３６】
又、図４（Ｃ）に示すように連結駒１５に押上げ力（換言すれば、連結駒１５に対する引上げ力）Ｆが作用した場合には、この押上げ力Ｆは、突起１８と取付け穴２７との嵌合部に力Ｆ４として作用するとともに、固定ねじ２９の頭部２９ａと固定面２６での密接部に力Ｆ５として作用する。力Ｆ４は、突起１８の軸方向に沿って図４（Ｃ）中左斜め上方に向かう分力Ｆ４ａと、この分力Ｆ４ａに直角で図４（Ｃ）中右斜め上方に向かう分力Ｆ４ｂとに分解でき、力Ｆ５は、固定ねじ２９の軸方向に沿って図４（Ｃ）中略真上に向かう分力Ｆ５ａと、図４（Ｃ）中右斜め上方つまり固定面２６に沿って胴外面５ａに向かう分力Ｆ５ｂとに分解できる。
【００３７】
分力Ｆ４ｂは取付け穴２７から突起１８を抜き出す方向には作用しない。分力Ｆ５ｂは、連結駒１５を胴外面５ａに向けて押すように作用するので、この分力Ｆ５ｂによって突起１８が取付け穴２７から抜けることはない。これらに対して、分力Ｆ４ａは突起１８が取付け穴２７から抜ける方向に作用し、分力Ｆ５ａも突起１８が取付け穴２７から抜ける方向に作用する。しかし、連結駒１５の図４（Ａ）左斜め上方向への移動は、固定面２６と固定ねじ２９の頭部２９ａとの引っ掛りによって防止されている。したがって、押上げ力（引上げ力）Ｆによって、取付け穴２７から突起１８が抜けて、連結駒１５が胴５から外れることはない。
【００３８】
なお、以上説明した以外の方向から作用する外力に対して連結駒１５は、胴外面５ａ又はかん足２１によって支持されるので、取付け穴２７から突起１８が抜けて、連結駒１５が胴５から外れることはない。
【００３９】
以上の手順で胴５に取付けられた連結駒１５は、既述のように外力によって不用意に外れることがない。しかも、この取付け状態で、突起１８と取付け穴２７との間にはパッキン２８が挟まれているので、連結駒１５ががたつくことも防止できる。なお、パッキン２８は取付け穴２７内に接着するのではなく、突起１８の外周に接着などにより取付けてもよい。
【００４０】
次に、バンド３の交換などにおいて、胴５から連結駒１５を取外す場合には、まず、固定ねじ２９を緩み方向に回転操作して、その頭部２２ａが図３（Ａ）（Ｂ）に示すように連結駒１５の幅内に収まるように配置する。これにより、固定ねじ２９の頭部２９ａが固定面２６から外れるので、固定ねじ２９による連結駒１５の固定状態が解除される。この後、連結駒１５の端面１５ａを胴外面５ａから離れるように連結駒１５を斜め上方向に移動させて、連結駒１５をかん股２２から外しながら、突起１８を取付け穴２７から抜き出す。したがって、胴５から連結駒１５を取外すことができる。
【００４１】
以上のように前記腕時計１は、胴５に対する連結駒１５の連結を、ばね棒を用いるものではなく、斜めの突起１８と取付け穴２７との嵌合と、かん足２１の固定面２６に固定ねじ２９の頭部２９ａを密接させることで実施している。このため、バンド３の連結駒１５を胴５に着脱するのに、ばね棒を取扱う場合のように専用工具を用いなくても、既述の手順でバンド３を胴５に着脱できる。このため、腕時計１を生産する上での組立て作業性を向上できるとともに、使用者においても胴５を傷付けることなく容易にバンド３を着脱できる。したがって、使用者が複数種のバンドを用意して置く場合には、所望のバンドに適時交換することにより、腕時計１の意匠に変化を与えて使用することが可能である。
【００４２】
又、前記一実施形態では、固定ねじ２９の頭部２９ａが連結駒１５の幅内に収まるように配置できる大きさであるので、連結駒１５に固定ねじ２９を取付けたままで、この連結駒１５を胴５に着脱できる。このため、固定ねじ２９を連結駒１５から分離する必要がなく、固定ねじの紛失を抑制できるとともに、固定ねじ２９の回転操作量が例えば９０°でよく、操作性に優れる。
【００４３】
なお、本発明は前記一実施形態には制約されない。例えば、固定ねじ２９には、連結駒１５の幅よりも大きい円形の頭部２９ａを有した皿ねじ等を使用することができる。この場合には、連結駒１５にその裏面１５ｂから固定ねじ２９をねじ込んで、そのねじ込み完了により頭部２９ａを１対のかん足２１の固定面２６にわたって配置してこれら固定面２６に密接させることにより、胴５に連結駒１５を取付けることができる。この逆に、固定ねじ２９を緩めて連結駒１５から外した状態とすることにより、連結駒１５をかん股２２に出し入れすることができる。
【００４４】
又、本発明は、突起１８を胴外面５ａから斜め上向きに突設するとともに、この突起１８が挿入する取付け穴１７の端面１５ａの中央部に開口させて、この開口より斜め上方に穴奥が位置するように取付け穴１７を連結駒１５に設けて実施することもできる。
【００４５】
又、本発明は、胴外面５ａを、略鉛直な面ではなく、胴５の厚み方向正面側に行くに従い次第に胴５の中央側に寄る傾斜面で作ることもできる。この場合、胴外面５ａに開口する取付け穴２７又は胴外面５ａから突出する突起１８は、傾斜された胴外面５ａに対する法線方向に沿って設けることができる。
【図面の簡単な説明】
【００４６】
【図１】本発明の一実施形態に係る腕時計を示す平面図。
【図２】（Ａ）は図１の腕時計が備える胴に対する連結駒の連結構造を連結駒が固定された状態で示す断面図。（Ｂ）は図１の腕時計が備える胴に対する連結駒の連結構造を連結駒が固定された状態で示す裏面図。
【図３】（Ａ）は図１の腕時計が備える胴に対する連結駒の連結構造を連結駒の固定が解除された状態で示す断面図。（Ｂ）は図１の腕時計が備える胴に対する連結駒の連結構造を連結駒の固定が解除された状態で示す裏面図。
【図４】（Ａ）から（Ｃ）は図１の腕時計が備える胴に連結駒が固定された状態で夫々異なる方向から作用する外力に対する力の関係を説明する図。
【符号の説明】
【００４７】
１…腕時計
２…時計外装組立
３…バンド
５…胴
５ａ…かん股に臨む胴外面
１５…連結駒
１５ａ…連結駒の先端（対向面）
１５ｂ…連結駒の裏面
１７…固定ねじ穴
１８…突起
２１…かん足
２１ａ…かん足のかん股に臨む側面
２１ｂ…かん足の裏面
２２…かん股
２６…固定面
２６ａ…切欠き
２７…取付け穴
２８…パッキン
２９…固定ねじ
２９ａ…頭部
３０…操作溝
Ａ…取付け穴の軸線の延長線
Ｂ…固定面の延長線
【図１】
2005188961.tif 000003
【図２】
2005188961.tif 000004
【図３】
2005188961.tif 000005
【図４】
2005188961.tif 000006